【手続補正書】
【提出日】平成19年6月26日(2007.6.26)
【手続補正１】
【補正対象書類名】明細書
【補正対象項目名】全文
【補正方法】変更
【補正の内容】
【書類名】明細書
【発明の名称】    植生マットの製造方法
【特許請求の範囲】
【請求項１】  不透水性或いは難透水性の平坦基盤の上に、可撓性を有するネット材を展開し、更に、芝生マット叉は芝生ランナー、芝生用植物種子のいずれかもしくはこれらを混合した種苗を敷設叉は散布し、種苗から発根及び発芽した根茎及び茎葉を該ネット材に絡ませて一体化させて成ることを特徴とする植生マットの製造方法。
【請求項２】  不透水性或いは難透水性の平坦基盤の上に、保水基材を敷設し、その上に、可撓性を有するネット材を展開し、更に、芝生マット叉は芝生ランナー、芝生用植物種子のいずれかもしくはこれらを混合した種苗を敷設叉は散布し、種苗から発根及び発芽した根茎及び茎葉を該ネット材に絡ませて一体化させて成ることを特徴とする植生マットの製造方法。
【請求項３】  不透水性或いは難透水性の平坦基盤の上に、可撓性を有するネット材を展開し、その上に、保水基材を敷設し、更に、芝生マット叉は芝生ランナー、芝生用植物種子のいずれかもしくはこれらを混合した種苗を敷設叉は散布し、種苗から発根及び発芽した根茎及び茎葉を該ネット材に絡ませて一体化させて成ることを特徴とする植生マットの製造方法。
【請求項４】  不透水性或いは難透水性平坦基盤が、コンクリート、アスファルト舗装体、叉は不透水性の樹脂シートである請求項1〜３ののいずれかに記載された植生マットの製造方法。
【請求項５】  保水性基材が、不織布、紙布片、パーライト、ゼオライト等の鉱物質系保水基材、ピートモス、バーク堆肥等の有機質系保水基材、高吸水性ポリマー等から選ばれた1種叉は2種以上が混合された軽量な基材である請求項1〜４のいずれかに記載された植生マットの製造方法。
【請求項６】  前記ネット材の下面もしくは上面にメッシュ状の不織布が敷設されていることを特徴とする請求項1〜５のいずれかに記載された植生マットの製造方法。
【発明の詳細な説明】
【０００１】
【発明の属する技術分野】
本発明は、例えば河川の堤防などの切土、盛土などの法面、その他、河川敷などを植生保護するための植生マットの製造方法に関する。
【０００２】
【従来の技術】
例えば河川堤防の護岸の施工に際して、主として防災の見地から、コンクリートブロックを堤防の法面に張り付ける張りブロック工法が施工されてきたが、近年では、親水護岸の形成など景観的見地から、また、コスト面から、芝生による護岸の形成が要望されつつある。
【０００３】
そこで、圃場で生育させた野芝や高麗芝の芝生マットを河川沿岸の護岸域法面に施工する工法が採用されるようになったが、従来の工法では、単に芝生マットを法面に張り付けていたことと、芝の根の法面への侵入深さが比較的浅かったことから、たとえば河川の増水時に、流水によって芝生マットが簡単に剥がれて流失してしまい、護岸機能を早期に失って、流水による法面の浸食が起こり易いという問題があった。
【０００４】
そこで、本出願人は、上述の問題を解決するために、可撓性を有するネット材に芝生マットを一体化させて成る植生マットを提案している。しかしながら、この植生マットは、可撓性を有するネット材を圃場に敷設し、このネット材の上に、別途圃場で生育させた芝生マットを敷き詰め、この芝生マットの根をネット材に絡ませた後、芝生マット付きのネット材を圃場から剥がし取ることで製造される。
【０００５】
この植生マットとその製造方法によれば、芝生マットの強い表層根がネット材に強固に根絡みした保形性の高い植生マットが得られるのであって、この植生マットを法面などに敷き詰めて、この植生マットあるいはネット材をアンカー等によって止着すれば、芝生マットがネット材に強固に根絡みしていることから、実質的に芝生マットを、ネット材を介して法面などに強固に張り付けることができるのであり、かつ芝生マットは時を経て法面などに強固に根張りすることになるのである。
【０００６】
そのため、芝生マットを形成する野芝や高麗芝が良好に生育し、法面の全面を覆っている時には、野芝等に接触する流水が相当の流速となっても野芝等が剥がれることはない。
【０００７】
【発明が解決しようとする課題】
ところが、この提案による植生マットの製造方法では、上記の優れた機能を有する植生マットを大量に得る上で、芝生マットを生育させるための別途圃場を広く必要としていたのであり、かつ芝生マットの根がネット材に強固に絡まって植生マットを収穫すまでに約半年の期間を要したのである。
【０００８】
また、上記の植生マットは圃場の土壌を必然的に付着することになるために、かなりの重量があり、１m2当たりの重量が15kg〜20kgとなり、その取り扱いに多大な労力を要し、また運搬費用も多大になるという問題があった。更に、従来の製造方法では、芝生の根が圃場表面土壌に強固に食い込み、その剥がし取りに多大の労力と時間を必要としていた。
【０００９】
本発明は上述の事柄に留意してなされたもので、その目的は、製造工程を簡略で、軽量化により、運搬、施工面でのコストを下げることが可能な植生マットの製造方法を提供することである。
【００１０】
【課題を解決するための手段】
上記目的を達成するために、本発明の植生マットの製造方法は、不透水性或いは難透水性の平坦基盤の上に、可撓性を有するネット材を展開し、この上に、芝生マット叉は芝生ランナー、芝生用植物種子のいずれかもしくはこれらを混合した種苗を敷設叉は散布し、種苗から発根及び発芽した根茎及び茎葉を該ネット材に絡ませて一体化させて成ることを特徴とする植生マットの製造方法である。(請求項１)また、保水基材を上記ネット材の上側または下側に敷設し、その上に、芝生マット叉は芝生ランナー、芝生用植物種子のいずれかもしくはこれらを混合した種苗を敷設叉は散布し、種苗から発根及び発芽した根茎及び茎葉を該ネット材に絡ませて一体化させて成ることを特徴とする植生マットの製造方法である。(請求項２，３)
【００１１】
また、本発明方法に使用する、不透水性或いは難透水性平坦基盤が、コンクリート、アスファルト舗装体、叉は不透水性の樹脂シートである（請求項４）ことを特徴としている。
【００１２】
また、保水基材は、不織布、紙布片、パーライト、ゼオライト等の鉱物質系保水基材、ピートモス、バーク堆肥等の有機質系保水基材、高吸水性ポリマー等から選ばれた１種叉は２種以上が混合された軽量な基材を使用することを特徴としている。（請求項５）
【００１３】
以上の工程で、植生マットを製造すると、植生マットは、ネット材に根絡みしている芝生マットの根茎は不透水性基盤上で基盤に固着することがないために剥がし取りが極めて容易で、また軽量の保水基材を使用した場合には、土壌をほとんど含まず、軽量な植生マットを提供することができる。
【００１４】
また、前記ネット材の下面にメッシュ状の不織布が敷設されていることを特徴としている。（請求項６）
【００１５】
上記のメッシュ状の不織布を使用した場合、本発明の植生マットを、河川の法面へ張付け施工すると、河川の増水時などに流水による、植生マット張付け面の法面土壌の吸い出しを防止することができ、芝生植物の根が支障なく伸長して、法面土壌に蔓延し、法面を強固に保護することができる。
【００１６】
【発明の実施の形態】
以下、この発明の実施例を、図を参照しながら説明する。
図１は、本発明の実施例に係る植生マットＤの施工方法の構成を概略的に示す斜視図である。図２、３は本発明の、植生マットの製造状況を示す断面図である。
植生マットＤは、たとえば平面視が2.0ｍ×5.0ｍや、1.0×10.0ｍの長方形状のものであって、可撓性を有するネット材１に芝生マット２を一体化させて成るものである(図２)。更に、他の実施例では、上記ネット材1の下面にメッシュ状の不織布Ｆが配置され(図３)、これらを芝生マット２の根茎の根絡みにより一体化させて成るものである。
【００１７】
本発明による植生マットの製造方法は、不透水性平坦基盤３をアスファルト舗装体で形成し、この上に保水基材4として、ピートモスとバーク堆肥をほぼ均等に混合したものを散布して、2〜3cmの厚さに敷き詰め、この上に可撓性を有するネット材１を敷き詰めた後、予め圃場で育成しておいた芝生マット２を敷き詰める。
【００１８】
不透水性平坦基盤３は平坦基盤３のある一定方向に、緩い勾配をつけておく。平坦基盤の形状や大きさにもよるが、概ね1/100から1/200程度に傾斜させておき、降雨や散水によって芝生マット２に供給される過剰な水分が速やかに排出する勾配とする。
【００１９】
不透水性平坦基盤３は、上記のアスファルト舗装体の他に、コンクリート舗装体や、均平に均した地面の上に、塩ビやポリエチレンのシートを敷き詰めることで、同様な機能の不透水性基盤３が形成できる。その他、この基盤３は、散水した水や自然降雨がある程度留まり、芝生の根をほとんど通さないものであれば、使用できるのであり、芝生の根を通しにくい、フェルト状のマットや粗粒アスファルト舗装体などの難透水性基盤３も使用可能である。
【００２０】
次に、上記のように形成された不透水性平坦基盤３の上に、保水基材４を散布したり敷設する。保水基材４としては、上記のピートモスやバーク堆肥のような有機質系の保水基材他に、ティッシュペーパー等の保水性の高い紙や、不織布、パーライト、ゼオライト等の鉱物質系の保水基材４や、ポリアクリルアマイド、ポリエチレンオキサイドなどの所謂高吸水性ポリマーなどが使用できる。これらの保水基材は、単独でも使用できるが、これらの中から適宜選択して、組み合わせて使用することも可能である。例えば、上記の紙叉は不織布に、高吸水性ポリマーを装着叉は充填したものなども好適に使用可能である。
また、上記の保水基材４は本発明の植生マットDの製造方法においては、必須の構成ではなく、不透水性基盤３の上に、可撓性のあるネット材１を敷き詰めた上に、圃場から切り取った芝生マット２を敷設し、芝生から根を伸長させて前記ネット材１に絡ませ、これを剥がし取って植生マットDとする製造方法も可能である。この場合、芝生マット２に圃場の土壌を付着させたものを使用すると、育成中の水管理が容易であるが、土壌をふるい落とした芝生マット２を使用すると育成中の水管理が必要になるが、製造された植生マットDは軽量で、取り扱いが容易である。
【００２１】
以上の工程の後、その上に、可撓性を有するネット材１を敷設するが、このネット材１は、幅１ｍ当たりの引っ張り強度が0.5〜７トン程度で、目合いが５〜10×５〜10ｍｍ程度となるように形成されている。前記ネット材１は、耐久性に富む繊維、たとえばナイロンやポリエステル、アラミド、カーボン、ポリアセタールなどの繊維を用いて、格子状に成形したものであるが、上記の繊維による線条を用いて、上記と同様の目合いの網状体に編組したものにしてもよい。
上記の工程とは別に、保水基材４をネット材１の上に散布または敷設する場合もあり、ほぼ同様の作用効果を発揮することができる。
【００２２】
このネット材１を敷設した上に、別の圃場で育成した芝生マット２を敷設し、乾燥に注意しながら育成する。育成は、自然降雨を基本とするが、芝生マット２の乾燥状態を観察しながら、スプリンクラー等の散水設備を準備し散水をする。この芝生マット２の他に、芝生マット２をほぐした芝生のランナーを上記のネット材２上に掻き広げることで目的とする植生マットDを製造できる。この場合には、芝生のランナーの乾燥を防止し、発根・発芽を促進するために、1.0ｃｍ程度の覆土をすることがある。この芝生ランナーを使用する方法は、芝の使用量を1/3〜1/4と少ない量で本発明の植生マットDを製造することができる。
【００２３】
この発明に使用される芝生(植物)としては、通常、我が国の気候風土によく適応し、メンテナンスが比較的容易な野芝や高麗芝が使用されるが、この他に所謂洋芝といわれる、トールフェスク、クリーピングレッドフェスク、バミューダグラス、ベントグラス類やチガヤ等普通に河川敷に生育している植物も生芝の状態とか、種子の形態で使用可能である。
【００２４】
本発明の他の実施例として、ネット材１の下側に、メッシュ状の不織布Ｆを使用する場合があるが、このメッシュ状の不織布Ｆは、ポリエステル、ナイロン繊維、ビニロン繊維、ガラス繊維などの耐腐食性繊維で構成され、縦及び横方向において、疎部と密部とを交互に配置した状態を有している。
【００２５】
この内の疎部は、不織布Ｆを形成する素材が少なくなっていたり存在していなかったりして、芝生の根茎が通過し得る部分であり、密部は、不織布Ｆを形成する素材が一定以上密に詰まっていて、芝生の根茎を通さない程度以上の強度となっている部分である。
【００２６】
ここで、疎部の幅寸法を0.3ｍｍより小さくすると、芝生の根茎の通過が困難となり、5.0ｍｍより大きくすると、土砂を通し易くなって、土壌の吸出しによる侵食・崩壊の防止効果が悪くなることから、隣り合う密部のピッチを0.5〜10mmとし、疎部の幅寸法を0.3〜5mmとすることが望ましい。
【００２７】
このことから、この実施形態では、１０ｍｍ×１０ｍｍの大きさの不織布Ｆにおいて、１．0ｍｍ程度の孔による疎部が横方法に5〜6個、縦方向に3〜4個形成されたものを採用しており、この不織布Fの目付け量は30〜70g/m2となっている。
【００２８】
前記のメッシュ状の不織布Ｆの使用位置は、上記のように高調力のネット材１の下側に敷設するが、この位置は、不透水性平坦基盤３の直上部に位置させる場合と、保水基材４の上側、即ちネット材１の直下に位置させる場合とがある。また、このメッシュ上の不織布Ｆを、上記の保水基材４として使用し、保水基材４の一部を省略する場合もある。
【００２９】
以上のように、不透水性平坦基盤３上で育成された植生マットDは、従来の植生マットに比較して次のような優位性がある。即ち、従来の植生マットの場合、芝生の根がネット材に根絡みしてから剥ぎ取っていたが、この状態では、芝生の根が圃場の土壌にしっかりと根付いており、この剥がし取りに多大の労力を要していたが、本発明では、アスファルトなどの不透水性基盤３上で栽培するために芝生の根が基盤に張り付いていないことにより、剥がし取りが極めて容易になり、使用する芝生マット２の土壌をふるい落としたり、芝生ランナーや芝生用植物種子を使用するなど、また軽量保水基材４を使用するなど、軽量化したことにより、この剥がし取りが極めてスムーズに行える。更に上記のように軽量化したことにより、植生マットDの取り扱いが容易になり、従来より一枚当たりの規格を大型化することも可能になり、現地における施工がスピードアップすることで、経済的にも有利となる。
【００３０】
以上のようにして剥ぎ取られた植生マットＤは、現地の河川法面の状況や運搬の形態により、芝生マット２が形成される主体部と、この主体部の周縁に形成され、芝生マット２が形成されない周縁部とからなる。すなわち、前記主体部は、メッシュ状の不織布Ｆとネット材１と芝生マット２とからなる部分であり、前記周縁部は、メッシュ状の不織布Ｆとネット材１とからなる部分である。
【００３１】
前記周縁部は、植生マットＤの幅方向両側に形成された、たとえば100ｍｍ幅の周縁部分と、植生マットＤの長手方向の一方に形成された、たとえば１５０ｍｍ幅の周縁部分と、植生マットＤの長手方向の他方に形成された、たとえば５０ｍｍ幅の周縁部分とからなる。
【００３２】
なお、上記の植生マットＤの製造方法において、植生マットＤの製造開始時にネット材１の周辺部に角材などを配置し、植生マットＤの製造が完了した段階で、この角材などを取り出すようにすれば、植生マットＤに、芝生マット２が形成されない前記周縁部を設けることができる。
【００３３】
また、上記の角材などの配置を省略して、植生マットＤ製造後に芝生マット２の周辺部を崩し取ることで、前記周縁部を形成するようにしてもよい。
【００３４】
なお、上記の周縁部分の各端部に、ネット連結時の目ずれ防止のために、ネット材１に、２〜５ｃｍ程度の幅で網目を密にした部分を形成しておくことが望ましい。
【００３５】
次に、前記植生マットＤの施工方法について、図１、図４で説明する。なお、図１において、Ｒは、水の流れる方向である。  植生護岸のために、河川法面Ｎに植生マットＤを施工するには、まず、図１、図４に示すように、法尻の堪水域、または、かなりの期間堪水する部分を適宜掘削して、この掘削部分に、たとえばカゴマット７の張り工法を実施（その他、捨て石やフトンカゴの敷設も好適である）する。
【００３６】
この際、カゴマット７の下側に、上記のネット材１と同様のネット材８を適宜の幅にわたって敷き込んで、その上辺部８ａを、カゴマット７の上部の法面Ｎ側（護岸域側）に突出させておく。一方、想定される増水時の最高水位付近、好ましくは図４に示すように、最高水位Ｈよりもやや上部側の護岸域にも、上記のネット材２と同様のネット材９を、その川側の突出辺部９ａを突出させて埋設しておく。
【００３７】
さらに、護岸域内において、上下のネット材９、８にわたり、上記のネット材２と同様のネット材１０を埋設しておく。このネット材１０は、増水時の流速を勘案して、たとえば川の流れる方向に１０ｍ〜３０ｍの間隔で、かつ一部を下流側に向けて露出させるようにして埋設される。
【００３８】
なお、前記ネット材９、１０は、必要に応じてアンカー１１止めすることが望ましい。
【００３９】
そして、図１に示すように、たとえば植生マットＤの長手方向一方の周縁部分にフック部材１２を引っかけて、クレーン１３などを利用して、上記構成の植生マットＤを、たとえば護岸域の下流側から上流側に向けてかつ護岸域の下部側から上部側に向けて法面Ｎに張設するのである。
【００４０】
このとき、護岸域の最下部に配置される植生マットＤ、Ｄ…については、カゴマット７の下側に敷き込まれたネット材８から突出させた前記上辺部８ａに、ネット材２の他方の周縁部分を上方から重ね合わせて、この両者にアンカー１１を打設する。
【００４１】
また、護岸域の上下方向において隣り合う植生マットＤ、Ｄについては、下部側の植生マットＤの上部側周縁部分に、上部側の植生マットＤの下部側周縁部分を上方から重ね合わせて、この両者にアンカー１１を打設するのである。
【００４２】
さらに、護岸域の最上部に配置される植生マットＤについては、それの上部側周縁部分を、ネット材９の突出辺部９ａに上方から重ね合わせて、この両者にアンカー１１を打設するのであるが、この際、植生マットＤの長さ寸法の関係で、植生マットＤの上端が突出辺部９ａを越えることがあり、この場合は、突出辺部９ａの重なり部分にアンカー１１を打設すればよく、あるいは、ネット材２を切断して、植生マットＤの長さ寸法を調整し、両者を重ね合わせるようにしてもよいのである。
【００４３】
一方、護岸域の下流側から上流側に向けて張設される植生マットＤ、Ｄ…については、下流側の植生マットＤの上流側周縁部分に、上流側の植生マットＤの下流側周縁部分を上方から重ね合わせて、この両者にアンカー１１を打設するのであり、かつネット材１０に対しては、植生マットＤの上流側周縁部分を重ね合わせて、この両者をコイル線材やステイプルなどの連結手段（図示せず）によって連結して、この重ね合わせ部に、上流側の植生マットＤの下流側周縁部分を重ね合わせ、これら三者にアンカー１１を打設するのである。
【００４４】
この際、植生マットＤの幅寸法の関係で、植生マットＤがネット材１０をオーバーすることがあるが、この場合は、前記連結手段による連結を止めて、ネット材１０への重なり部分にアンカー１１を打設すればよく、あるいはネット材２を切断して、植生マットＤの幅寸法を調整し、両者を連結手段によって連結した上で、三者にアンカー１１を打設してもよいのである。
【００４５】
そして、上下ならびに左右方向で隣り合う植生マットＤ、Ｄのそれぞれの重ね合わせ部と、護岸域上部側の植生マットＤとネット材９との重ね合わせ部とについては、これらのネット材１、９を、予め護岸域に埋設した接続金具１４に係止させるのであり、かつ必要に応じて植生マットＤを覆うように、芝生マット２に覆土１５を施すのである。
【００４６】
なお、上記の実施の形態では、図１および図４に示すように、ネット材９の埋設域よりも上方の護岸域に、メッシュ状の不織布Ｆおよびネット材１を一体化させていない芝生マット１６を張設しているが、この芝生マット１６に代えて、上記構成の植生マットＤを張設してもよいことは言うまでもない。
【００４７】
上記の植生マットＤの施工方法によれば、その施工方法に用いる植生マットＤが、芝生マット２の強い表層根がメッシュ状の不織布Ｆおよびネット材１に強固に根絡みした保形性の高い植生マットＤであって、隣り合う植生マットＤ同士を重ね合わせて、アンカー１１などで法面Ｎに固定することから、実質的に四側辺が互いに連結された芝生マット２を、不織布Ｆおよびネット材１を介して法面Ｎに強固に張り付けることができるのであり、そして、芝生マット２は時を経て法面Ｎに強固に根張りすることになる。
【００４８】
従って、法面Ｎ全体の均一な緑化植生を期することができる上に、たとえば植生マットＤの施工直後に河川が増水したとしても、植生マットＤは、流水によって簡単に崩れたり剥がれたりしないのであって、施工直後から高い親水護岸の機能を発揮するのであり、景観上で優れることはもちろん、流水による法面Ｎの浸食も効果的に防止されるのである。
【００４９】
特に、隣り合う植生マットＤ、Ｄの上部側ならびに上流側のネット材１を、下部側ならびに下流側の植生マットＤのネット材１に上方から重ね合わせているので、増水の際、ネット材１の端縁は流水に逆らわず、水がスムーズに流れるのであって、植生マットＤの剥がれが一層効果的に防止されるのである。
【００５０】
また、植生マットＤの下面には、メッシュ状の不織布Ｆが形成されており、この不織布Ｆは、芝生マット２と同様に、増水時などの流水による植生マットＤの裏側からの法面土壌の吸い出しを防止する吸出し防止効果を有している。このため、たとえば施工当初において芝の生育が不十分であることが原因で芝の欠損箇所が生じたり、施工後における雑草の侵入（芝生が株状の植物に置換されることを含む）や芝の衰退により芝の欠損域が拡大したりすることなどによって、植生マットＤに芝生マット２が欠落した部分が生じたとしても、前記不織布Ｆが、その部分から土が吸い出されることを防止し、欠落した芝の機能を補完することができる。さらに、芝生マット２が形成されない周縁部や植生マットＤのつなぎ目の部分の下側から土や砂が吸い出されることも、メッシュ状の不織布Ｆによって防止することが可能となる。
【００５１】
なお、上記の吸出し防止効果を得るために、不織布Ｆは、法面Ｎを形成する土や砂などを通しにくく、かつ芝生マット２の芝の根を通すメッシュ状の複数の穴もしくは適宜間隔および幅で不織布を構成する繊維が疎密を繰り返す構成をとったために、法面土壌の吸出し防止効果と同時に、芝生の根も法面土壌に伸長・蔓延し、芝生の根によって、植生マットＤを強固に法面に固定することができる。
【００５２】
また、植生マットＤには、その接合部分にメッシュ状の不織布Ｆが設けられていることから、流水による土や砂などの吸い出し防止のために、吸い出し防止部材（たとえば吸出し防止シート）などを現場で施工する手間が省け、施工面でコストを下げることが可能となる。
【００５３】
さらに、メッシュ状の不織布Fが土や砂を通さないことから、施工後の植生マットＤに対して周囲から飛散侵入してきた雑草の成長を抑制、妨害し、ひいては雑草の侵入を防止することができる。
【００５４】
上記の構成からなる植生マットＤの施工方法における植生マットＤの法面Ｎへの張設は、植生マットＤの重量に応じて、上述したようなクレーン１３などを利用してもよいし、人力で行ってもよい。
【００５５】
上記の本発明により製造された植生マットＤの施工方法によれば、植生マットＤに接触する流水の速度が３（ｍ／ｓ）以上となっても、強靭なネット材２に芝生マット２の芝の根茎が絡むことにより、流水によって芝生が容易に剥がれることがなく、更に、メッシュ状の不織布Ｆと芝生マット２とを組み合わせたことにより、流水による土や砂の吸い出し防止を図ることができ、施工直後から河川法面の浸食防止および景観向上を図ることができる。
【００５６】
芝生マット２の芝は、しばらくすると、芝の存在しない植生マットの周縁部にも蔓延し、芝の根はこの周縁部の土壌にも良好に伸長し、芝生マット間の隙間を短期間に閉塞して、法面全面を隙間なく一体となった植生マットＤで被覆することができ、侵食防止と景観の向上を図ることができる。
【００５７】
【発明の効果】
本発明は、以上説明したような植生マットの製造方法であるから、アスファルトなどの不透水性基盤上で栽培するために芝生の根が基盤に張り付いていないことにより、剥がし取りが極めて容易になり、使用する芝生マットの土壌をふるい落としたり、芝生ランナーや芝生用植物種子を使用するなど、また軽量保水基材を使用するなど、軽量化したことにより、この剥がし取りが極めてスムーズに行える。更に上記のように軽量化したことにより、植生マットの取り扱いが容易になり、従来より一枚当たりの規格を大型化することも可能になり、現地における施工がスピードアップすることで、経済的にも有利となる等の効果を奏する植生マットを提供することができた。
【図面の簡単な説明】
【図１】
本発明の第一実施例に係る植生マットとその施工方法の構成を概略的に示す斜視図である。
【図２】
上記実施例の構成を概略的に示す断面図である。
【図３】
他の実施例を概略的に示す断面図である。
【図４】
上記実施例における植生マットの施工方法の構成を概略的に示す縦断面図である。
【符号の説明】
１…ネット材、２…芝生マット、Ｄ…植生マット。Ｆ…不織布、